(57)【要約】【課題】複数の選択項目からなる第１の記入項目と、複数の選択項目に共通する少なくとも１つの第２の記入項目とを含む帳票を、従来の集中処理システムにより処理可能な文字認識装置を提供する。【解決手段】複数の選択項目からなる第１の記入項目と、複数の選択項目に共通する少なくとも１つの第２の記入項目とを含む帳票を読取り、記入項目の情報を認識する文字認識装置であって、複数の選択項目からなる第１の記入項目の各々に対応するように、当該第１の記入項目と第２の記入項目とに関する読取位置情報を定義する帳票定義体を複数登録する定義体記憶部と、複数の選択項目からいずれか１つ選択された第１の記入項目に対応する帳票定義体に従って、帳票上で記入項目を読取り、記入項目の情報を認識する読取認識部と、を含む文字認識装置が提供される。【選択図】図１
2008077429.tif 000002
【特許請求の範囲】
【請求項１】
複数の選択項目からなる第１の記入項目と、前記複数の選択項目に共通する少なくとも１つの第２の記入項目とを含む帳票を読取り、前記記入項目の情報を認識する文字認識装置であって、
前記複数の選択項目からなる前記第１の記入項目の各々に対応するように、当該第１の記入項目と前記第２の記入項目とに関する読取位置情報を定義する帳票定義体を複数登録する定義体記憶部と、
前記複数の選択項目からいずれか１つ選択された前記第１の記入項目に対応する前記帳票定義体に従って、前記帳票上で前記記入項目を読取り、前記記入項目の情報を認識する読取認識部と、
を含むことを特徴とする、文字認識装置。
【請求項２】
前記帳票定義体を作成する定義体作成部をさらに備え、
前記定義体作成部は、前記帳票に記入可能な前記第１の記入項目の各々に対応するように、当該第１の記入項目と前記第２の記入項目とに関する読取位置情報を定義する予め作成された標準定義体から、前記帳票に実際に記入された前記第１の記入項目の各々に対応する定義体を選択し、前記帳票定義体を作成することを特徴とする、請求項１に記載の文字認識装置。
【請求項３】
前記読取認識部は、前記複数の選択項目からいずれか１つ選択された前記第１の記入項目に対応する前記帳票定義体を、光学読取手段の読取結果に応じて選択することを特徴とする、請求項１または２に記載の文字認識装置。
【請求項４】
定義体作成装置と、前記定義体作成装置に通信手段を介して接続された読取認識装置と、を含み、複数の選択項目からなる第１の記入項目と、前記複数の選択項目に共通する少なくとも１つの第２の記入項目とを含む帳票を読取り、前記記入項目の情報を認識する文字認識システムであって、
前記定義体作成装置は、前記複数の選択項目からなる前記第１の記入項目の各々に対応するように、当該第１の記入項目と前記第２の記入項目とに関する読取位置情報を定義する帳票定義体を複数作成し、
前記読取認識装置は、前記複数の選択項目からいずれか１つ選択された前記第１の記入項目に対応する前記帳票定義体に従って、前記帳票上で前記記入項目を読取り、前記記入項目の情報を認識する、ことを特徴とする、文字認識システム。
【請求項５】
複数の選択項目からなる第１の記入項目と、前記複数の選択項目に共通する少なくとも１つの第２の記入項目とを含む帳票を読取り、前記記入項目の情報を認識する文字認識方法であって、
前記複数の選択項目からなる前記第１の記入項目の各々に対応するように、当該第１の記入項目と前記第２の記入項目とに関する読取位置情報を定義する帳票定義体を複数作成する第１のステップと、
前記複数の選択項目からいずれか１つ選択された前記第１の記入項目に対応する前記帳票定義体に従って、前記帳票上で前記記入項目を読取り、前記記入項目の情報を認識する第２のステップと、
を含むことを特徴とする、文字認識方法。
【発明の詳細な説明】
【技術分野】
【０００１】
本発明は、文字認識の装置、システムおよび方法に関し、特に、複数の選択項目からなる第１の記入項目と、複数の選択項目に共通する少なくとも１つの第２の記入項目とを含む帳票を読取り、記入項目の情報を認識する、文字認識の装置、システムおよび方法に関する。
【背景技術】
【０００２】
近年、金融機関等には、為替取引の省力化や合理化などを目的として、ＯＣＲ為替集中処理システムが導入されている。ＯＣＲ為替集中処理システムとは、金融機関などの営業店で、振込依頼書などの為替帳票のイメージをＯＣＲ装置により読取り、帳票上に記入された文字を認識し、読取イメージおよび文字認識結果を集中センタに転送した後に、集中センタで、不読・誤読文字の修正および検証を行い、検証された文字認識結果を為替取引用の仕向データとして、仕向データを処理するホストに送信するシステムである。
【０００３】
通常の振込依頼書には、１つの帳票に１つの振込先が記入されており、その場合には、例えば、振込先（銀行名、支店名、預金種目および口座番号など）、受取人（氏名など）、依頼人（氏名、連絡先など）および振込金額などの情報が、帳票上の定型位置に記入されている。このため、各種情報に関する記入項目の読取位置情報を定義する定型の帳票フォーマットを予め作成し、システム上に登録しておけば、ＯＣＲ装置により為替帳票のイメージを読取り、帳票フォーマットに従ってイメージの切出しおよび認識処理が行われる。
【０００４】
【特許文献１】特開平１１−１８４９５１号公報
【発明の開示】
【発明が解決しようとする課題】
【０００５】
しかしながら、１つの帳票に複数の振込先情報が予め印刷（以下、「プレ印刷」とも称する。）されている「複数振込先選択方式」の振込依頼書が利用されており、その場合には、帳票上にプレ印刷された複数の振込先に対して、依頼人が所望する振込先に印を付けることで、振込先が選択される。このため、振込先の選択に応じて振込先情報に関する記入項目の読取位置情報が変更されるので、定型の帳票フォーマットを予め作成・登録することができず、定型の帳票フォーマットの使用を前提とする従来の集中処理システムによる処理が行えないという問題が生じる。
【０００６】
本発明は上記問題点に鑑みてなされたものであり、その目的は、複数の選択項目からなる第１の記入項目と、複数の選択項目に共通する少なくとも１つの第２の記入項目とを含む帳票を、従来の集中処理システムにより処理可能な、新規かつ改良された、文字認識の装置、システムおよび方法を提供することにある。
【課題を解決するための手段】
【０００７】
上記課題を解決するために、本発明の第１の観点によれば、複数の選択項目からなる第１の記入項目と、複数の選択項目に共通する少なくとも１つの第２の記入項目とを含む帳票を読取り、記入項目の情報を認識する文字認識装置が提供される。本装置は、複数の選択項目からなる第１の記入項目の各々に対応するように、当該第１の記入項目と第２の記入項目とに関する読取位置情報を定義する帳票定義体を複数登録する定義体記憶部を含む。さらに、本装置は、複数の選択項目からいずれか１つ選択された第１の記入項目に対応する帳票定義体に従って、帳票上で記入項目を読取り、記入項目の情報を認識する読取認識部を含む。
【０００８】
かかる構成によれば、定義体記憶部において、複数の選択項目からなる第１の記入項目の各々に対応するように、当該第１の記入項目と第２の記入項目とに関する各々の読取位置情報を定義する帳票定義体が複数登録される。そして、読取認識部において、複数の選択項目からいずれか１つ選択された第１の記入項目に対応する帳票定義体に従って、帳票上で記入項目が読取られ、記入項目の情報が認識される。すなわち、複数の選択項目からなる第１の記入項目の各々に対応するように、定型の帳票定義体が登録されるので、複数の選択項目からいずれか１つ選択された第１の記入項目に対応する帳票定義体に従って、帳票上に記入された項目毎にイメージの切出しおよび認識処理が行われる。よって、複数の選択項目からなる第１の記入項目と、複数の選択項目に共通する少なくとも１つの第２の記入項目とを含む帳票が、定型の帳票定義体の使用を前提とする従来の集中処理システムにより処理可能となる。かかる構成は、例えば、ＯＣＲ為替集中処理システムのＯＣＲクライアントに適用可能である。
【０００９】
また、上記帳票定義体を作成する定義体作成部をさらに備え、定義体作成部は、帳票に記入可能な第１の記入項目の各々に対応するように、当該第１の記入項目と第２の記入項目とに関する読取位置情報を定義する予め作成された標準定義体から、帳票に実際に記入された第１の記入項目の各々に対応する定義体を選択し、帳票定義体を作成するようにしてもよい。
【００１０】
かかる構成によれば、帳票に記入可能である第１の記入項目の各々に対応する定義体が標準定義体として予め作成されているので、帳票上の実際の記入に応じて、該当する第１の記入項目の各々に対応する定義体が選択され、帳票定義体が作成される。よって、帳票上の実際の記入に応じて、該当する第１の記入項目の各々に対応する帳票定義体を逐一作成する必要がなくなる。
【００１１】
また、上記読取認識部は、複数の選択項目からいずれか１つ選択された第１の記入項目に対応する帳票定義体を、光学読取手段の読取結果に応じて選択するようにしてもよい。
【００１２】
かかる構成によれば、複数の選択項目からいずれか１つ選択された第１の記入項目が、光学読取手段により読取られ、対応する帳票定義体が選択される。よって、選択された第１の記入項目を視覚により識別し、対応する帳票定義体を手動により選択する必要がなくなる。
【００１３】
また、本発明の第２の観点によれば、定義体作成装置と、定義体作成装置に通信手段を介して接続された読取認識装置と、を含み、複数の選択項目からなる第１の記入項目と、複数の選択項目に共通する少なくとも１つの第２の記入項目とを含む帳票を読取り、記入項目の情報を認識する文字認識システムが提供される。本システムの定義体作成装置は、複数の選択項目からなる第１の記入項目の各々に対応するように、当該第１の記入項目と第２の記入項目とに関する読取位置情報を定義する帳票定義体を複数作成する。さらに、本システムの読取認識装置は、複数の選択項目からいずれか１つ選択された第１の記入項目に対応する帳票定義体に従って、帳票上で記入項目を読取り、記入項目の情報を認識する。
【００１４】
かかる構成によれば、複数の選択項目からなる第１の記入項目と、複数の選択項目に共通する少なくとも１つの第２の記入項目とを含む帳票が、定型の帳票定義体の使用を前提とする従来の集中処理システムにより処理可能となる。かかる構成は、ＯＣＲ為替集中処理システムにおいては、例えば、営業店もしくは集中センタのいずれか一方に併設され、または双方に別個に設置された、定義体作成装置として機能する第１のクライアントと、読取認識装置として機能する第２のクライアントとに適用可能である。なお、第１および／または第２のクライアントには、必要に応じてＯＣＲ装置が併設される。
【００１５】
また、本発明の第３の観点によれば、複数の選択項目からなる第１の記入項目と、複数の選択項目に共通する少なくとも１つの第２の記入項目とを含む帳票を読取り、記入項目の情報を認識する文字認識方法が提供される。本方法は、複数の選択項目からなる第１の記入項目の各々に対応するように、当該第１の記入項目と第２の記入項目とに関する読取位置情報を定義する帳票定義体を複数作成する第１のステップを含む。さらに、本方法は、複数の選択項目からいずれか１つ選択された第１の記入項目に対応する帳票定義体に従って、帳票上で記入項目を読取り、記入項目の情報を認識する第２のステップを含む。
【００１６】
かかる方法によれば、複数の選択項目からなる第１の記入項目と、複数の選択項目に共通する少なくとも１つの第２の記入項目とを含む帳票が、定型の帳票定義体の使用を前提とする従来の集中処理システムにより処理可能となる。かかる方法は、例えば、ＯＣＲ為替集中管理システムに適用可能である。
【発明の効果】
【００１７】
以上説明したように、本発明によれば、複数の選択項目からなる第１の記入項目と、複数の選択項目に共通する少なくとも１つの第２の記入項目とを含む帳票を、従来の集中処理システムにより処理可能な、文字認識の装置、システムおよび方法が提供される。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
はじめに、本発明が適用されるＯＣＲ為替集中処理システムについて説明する。図１は、ＯＣＲ為替集中処理システムの一例を概略的に示すブロック図である。図２は、通常の振込依頼書（為替帳票）の一例を示す説明図である。図３は、為替帳票の文字認識結果の一例を示す説明図である。
【００２０】
図１に示すように、ＯＣＲ為替集中処理システムは、例えば、金融機関の営業店１０に設置された、ＯＣＲ装置１２およびＯＣＲ装置１２を制御するＯＣＲクライアント１４と、回線網５０を介して営業店１０と接続される集中センタ２０に設置された、為替サーバ２２、修正クライアント２４、検証クライアント２６、承認クライアント２８および通信ゲートウェイ３０（以下、「通信ＧＷ」と称する。）とにより構成される。
【００２１】
本システムによれば、営業店１０では、顧客から受付けた図２に示すような為替帳票１００’が行員により確認、借受金入金処理され、ＯＣＲ装置１２にセットされる（図１中の処理ｓ１）。ＯＣＲクライアント１４の制御を介して、為替帳票１００’のイメージがＯＣＲ装置１２により読取られ、帳票フォーマットに従ってイメージの切出しおよび認識処理が行われる。ここで、本システム上には、為替帳票上の各種記入項目に関する読取位置情報を定義する帳票フォーマットが予め登録されており、当該フォーマットに従って、為替帳票に記入された項目毎にイメージの切出しおよび認識処理が行われる。そして、ＯＣＲ処理された為替帳票１００’の切出イメージおよび文字認識結果が回線網５０を介して集中センタ２０に転送される（図１中の処理ｓ２）。
【００２２】
集中センタ２０では、為替帳票１００’の切出イメージおよび文字認識結果が為替サーバ２２のデータベース（ＤＢ）３２にデータとして一時的に格納される（図１中の処理ｓ３）。そして、為替サーバ２２に格納されたデータが修正クライアント２４に配信される。
【００２３】
修正クライアント２４では、図３に示すように、為替帳票１００’に記入された項目毎に切出イメージと対応する文字認識結果とが、エントリ画面２００上で上下並列に表示される。集中センタ２０のオペレータにより、項目毎の切出イメージと文字認識結果とが目視で比較・確認され、文字認識結果に不読・誤読文字が見出されれば、誤りを含むデータが修正される（図１中の処理ｓ４）。これにより、当該為替データのエントリ処理が完了する。
【００２４】
検証クライアント２６では、エントリ済みのデータが修正クライアント２４から配信され、エントリデータの確認や重要項目の再入力が行われる（図１中の処理ｓ５）。
【００２５】
承認クライアント２８では、修正済み／検証済みデータの文字認識結果に不一致が生じる場合や、取扱金額が高額である場合には、検証クライアント２６から修正済み／検証済みデータが配信され、役席者による承認が行われる（図１中の処理ｓ６）。
【００２６】
検証済み／承認済みのデータは、為替取引用の仕向データとして、集中センタ２０から通信ＧＷ３０を介してホスト４０に送信される（図１中の処理ｓ７）。本システムでは、以上のような一連の処理を行うことで、１件分の為替取引が完了する。
【００２７】
つぎに、以上のように構成されたＯＣＲ為替集中処理システムの特徴的な処理、すなわち、本実施形態に係る文字認識方法について説明する。図４は、複数振込先選択方式の振込依頼書（為替帳票）の一例を示す説明図である。図５は、図４に示す為替帳票から複数の帳票フォーマットを作成する処理の一部を示す説明図である。図６は、複数の帳票フォーマットから所望の帳票フォーマットを選択する処理の一部を示す説明図である。なお、以下では、図１〜図３を適宜参照しながら、本実施形態に係る文字認識方法について説明する。
【００２８】
図２に例示するような通常の振込依頼書１００’には、日付（依頼日１１２’、振込指定日１１４’）、振込先（銀行名１３２’、支店名１３４’、預金種目１３６’および口座番号１３８’）、受取人（カナ名１５２’、漢字名１５４’）、依頼人（カナ名１６２’、電話番号１６４’、漢字名１６６’、住所１６８’）、振込金額１７２’および科目１８２’の情報が、帳票１００’上の定型位置に記入されている。このため、各種情報が記入される項目毎の読取位置情報、（例えば、項目枠の座標情報）を定義する定型の帳票フォーマットを予め作成し、システム上に登録しておけば、ＯＣＲ装置１２により為替帳票１００’のイメージを読取り、帳票フォーマットに従って項目毎にイメージの切出しおよび認識処理が行なわれる。
【００２９】
本実施形態に係るシステムでは、ＯＣＲ装置１２により処理された記入項目毎の切出イメージおよび対応する文字認識結果が図３に例示するようにシステム上のエントリ画面２００に表示される。ここでは、記入項目毎の切出イメージおよび対応する文字認識結果が上下並列して表示されているので、切出イメージと文字認識結果との比較・確認が容易となる。なお、エントリ画面２００の表示上部のシステム状況表示領域２１０には、図中には示されていないが、例えば、システム上のクライアントを介した操作処理に用いる各種コマンドボタンや切替ボタン、およびシステムの稼動状況などの情報が表示される。
【００３０】
一方、図４に例示するような複数振込先選択方式の振込依頼書１００には、例えば、日付（依頼日１１２、振込指定日１１４）、受取人（カナ名１５２、漢字名１５４）、依頼人（カナ名１６２、電話番号１６４、漢字名１６６、住所）、振込金額１７２および科目１８２の情報が、帳票１００上の定型位置に記入されている。また、複数（本例の場合３つ）の振込先（銀行名１２２、１３２、１４２、預金種目１２６、１３６、１４６および口座番号１２８、１３８、１４８）の情報および各振込先に対応する番号１２０、１３０、１４０が、帳票１００上の所定位置にプレ印刷されている。
【００３１】
なお、複数振込先選択方式とは、１つの帳票で複数件分の振込手続きを可能とするように、振込手続き毎の振込先情報および金額情報などが１つの帳票上に記入される、いわゆる連記方式とは異なる方式である。すなわち、複数振込先選択方式とは、複数の振込先から所望の振込先を適宜選択可能としており、あくまでも１つの帳票で１件分の振込手続きを可能とする方式である。
【００３２】
複数振込先選択方式の振込依頼書１００によれば、依頼人は、帳票１００上にプレ印刷された複数の振込先に対して、所望の振込先に対応する番号（本例の場合１２０、１３０、１４０のいずれか１つ）に○印１７０を付けることで、振込先を適宜選択できる。本例の場合には、「×××銀行×××支店」の口座が振込先として選択されており、当該口座に対応する番号「２」１３０に○印１７０が付けられている。
【００３３】
本実施形態に係るシステムでは、図４に示す振込依頼書１００に基づいて、選択可能な振込先の各々に対応するように、帳票フォーマットが複数（本例の場合３つ）作成される。帳票フォーマットは、ＯＣＲ装置１２により読取られた為替帳票１００のイメージ画像上で、マウスなどのポインティングデバイスを用いて、情報が記入された項目毎に読取位置情報（例えば、項目枠の座標情報）を手動により特定し、読取位置情報を電子データ化することで作成される。ここで、作成された帳票フォーマットは、ＯＣＲ装置１２の記憶部に登録される。
【００３４】
本例の場合には、図５に示すように、振込先１、２および３の各々に対応する帳票フォーマット（１）、（２）および（３）３００、３１０、３２０が作成される。なお、図５では、各種情報が記入された為替帳票に基づいて、帳票フォーマット３００、３１０、３２０が作成される場合が例示されているが、各種情報が記入されていない、いわゆるブランク状態の為替帳票に基づいて、帳票フォーマットが作成されるようにしてもよい。
【００３５】
各帳票フォーマット３００、３１０、３２０には、該当する振込先とともに日付、受取人、依頼人、振込金額および科目の情報が記入される項目毎の読取位置情報（例えば、項目枠の座標情報）が定義される。すなわち、帳票フォーマット（１）３００では、振込先１の振込先情報（３０２、３０４、３０６）と、説明上便宜的に枠線を付した日付、受取人、依頼人、振込金額および科目の情報が記入される項目毎の読取位置情報が定義される。帳票フォーマット（２）または（３）３１０、３２０では、振込先情報（３０２、３０４、３０６）の代わりに、振込先２の振込先情報（３１２、３１４、３１６）または振込先２の振込先情報（３１２、３２４、３２６）が記入される項目の読取位置情報が定義される。
【００３６】
よって、選択可能な振込先の各々に対応するように、定型の帳票フォーマットが複数作成され、システム上、例えば、為替サーバ２２上のＤＢ３２に登録されることで、いずれの振込先が選択された場合でも、ＯＣＲ装置１２により為替帳票１００のイメージを読取り、対応する帳票フォーマットに従ってイメージの切出しおよび認識処理を行うことが可能となる。
【００３７】
本実施形態に係るシステムでは、図４に示す振込依頼書１００のイメージが読取られる前に、選択されたいずれか１つの振込先が、営業店１０の行員などの操作者により確認される。本例の場合には、図４に示すように、「×××銀行×××支店」の口座が振込先として選択されており、当該口座に対応する番号「２」１３０に○印１７０が付けられていることが確認される。
【００３８】
為替帳票１００のイメージの読取が開始される前に、ＯＣＲクライアント１４では、図６に示すような処理画面４００が表示される。処理画面４００上には、例えば、店番４０２、機番４０４、読取通番４０６、依頼人情報４１０などが表示されるとともに、「読取送信」および「読取取消」ボタン４２０、４２２が表示される。
【００３９】
依頼人情報４１０の項目には、いずれか１つを選択可能な帳票フォーマットとして、「未登録帳票（イメージ・ダイレクト）」、「帳票フォーマット（１）」、「帳票フォーマット（２）」、「帳票フォーマット（３）」という選択肢が列挙されている。なお、選択可能な帳票フォーマットが多過ぎて、依頼人情報の表示枠４１２に全て表示できない場合には、表示枠４１２の右側に表示されたスクロールバー４１４を上下に操作することで、表示枠４１２中の表示内容をスクロールさせることができる。
【００４０】
ここで、「未登録帳票（イメージ・ダイレクト）」の選択肢は、帳票フォーマットが未定義である非定型帳票のように、ＯＣＲ装置１２による読取処理が不可能な帳票の処理に際して、帳票上に記入された情報を行員などの操作者が目視で読取り、クライアントを介して直接的にデータ入力する場合に選択される。また、「帳票フォーマット（１）」、「帳票フォーマット（２）」、「帳票フォーマット（３）」の選択肢は、前述したように、選択可能な振込先の各々に対応するように、複数作成されてシステム上に登録された帳票フォーマット３００、３１０、３２０のいずれかに従って、為替帳票１００のイメージを読取る場合に選択される。
【００４１】
ＯＣＲクライアント１４では、依頼人により選択された振込先が、行員などの操作者により処理画面４００を介して選択される。本例の場合には、為替帳票１００上の番号「２」１３０に○印１７０が付けられており、帳票フォーマット（２）３１０が選択される必要があるので、処理画面４００上で「帳票フォーマット（２）」が選択４１６されている。帳票フォーマットが選択されている状態で、操作者により「読取送信」ボタン４２０が押下（クリック）されると、為替帳票１００のイメージがＯＣＲ装置１２により読取られ、選択された帳票フォーマット（２）３１０に従って項目毎にイメージの切出しおよび認識処理が行なわれる。一方、操作者により「読取取消」ボタン４２２が押下（クリック）されると、為替帳票１００の読取処理が取消される。
【００４２】
ＯＣＲクライアント１４では、選択された帳票フォーマット（２）３１０に従って処理された切出イメージおよび文字認識結果が、回線網５０を介して集中センタ２０に転送され、図３に示すように、通常の為替帳票１００’の場合と同様の形式で、集中センタ２０のエントリ画面２００に表示される。よって、為替帳票１００のイメージが読取られる前に、帳票フォーマットが適宜選択されることで、通常の為替帳票１００’と同様のエントリ画面２００上で、複数振込先選択方式の為替帳票１００の処理が可能となる。
【００４３】
以上、本発明の一実施形態として、本発明に係る文字認識方法が適用されるＯＣＲ為替集中処理システムについて説明した。本実施形態によれば、複数の選択項目からなる振込先の記入項目（１２２、１２６、１２８）、（１３２、１３６、１３８）、（１４２、１４６、１４８）の各々に対応するように、当該振込先の記入項目と他の記入項目（日付１１２、１１４、受取人１５２、１５４、依頼人１６２、１６４、１６６、１６８、振込金額１７２および科目１８２）とに関する各々の読取位置情報を定義する帳票フォーマット３００、３１０、３２０が登録される。そして、複数の選択項目からいずれか１つ選択された振込先の記入項目（１３２、１３６、１３８）に対応する帳票フォーマット３１０に従って、為替帳票１００上で記入項目が読取られ、記入項目の情報が認識される。
【００４４】
すなわち、複数の選択項目からなる振込先の記入項目の各々に対応するように、定型の帳票フォーマット３００、３１０、３２０が登録されるので、複数の選択項目からいずれか１つ選択された振込先の記入項目（１３２、１３６、１３８）に対応する帳票フォーマット３１０に従って、為替帳票１００上に記入された項目毎にイメージの切出しおよび認識処理が行われる。よって、いずれか１つが選択される複数の選択項目からなる振込先の記入項目（１２２、１２６、１２８）、（１３２、１３６、１３８）、（１４２、１４６、１４８）と、複数の選択項目に共通する他の記入項目（１１２、１１４、１５２、１５４、１６２、１６４、１６６、１６８、１７２および１８２）とを含む為替帳票１００が、定型の帳票フォーマットの使用を前提とする従来のＯＣＲ為替集中処理システムにより処理可能となる。
【００４５】
なお、本発明の他の実施形態としては、為替帳票に対応する帳票フォーマットの作成と、振込先の記入項目に対応する帳票フォーマットに従った当該為替帳票の読取認識と、が別個の装置で処理されるような場合が考えられる。例えば、集中処理システム上で互いに通信手段を介して接続された、第１のクライアントが帳票フォーマット作成装置として機能し、第２のクライアントが読取り認識装置として機能する場合が想定される。なお、第１および／または第２のクライアントには、必要に応じてＯＣＲ装置が併設される。
【００４６】
以上のように構成されたＯＣＲ為替集中処理システムの特徴的な処理、すなわち、本実施形態に係る文字認識方法については、前述した実施形態に係る文字認識方法と略同一であるので、ここでは、詳細な説明が省略される。かかる構成によれば、第１のクライアントにより作成された帳票フォーマットは、通信手段を介して第２のクライアントに送信され、第２のクライアントによる為替帳票の読取認識に使用される。よって、かかる構成が適用されたＯＣＲ為替集中処理システムによれば、複数の選択項目からなる第１の記入項目と、複数の選択項目に共通する少なくとも１つの第２の記入項目とを含む帳票が、定型の帳票定義体の使用を前提とする従来の集中処理システムにより処理可能となる。
【００４７】
以上、添付図面を参照しながら本発明の好適な実施形態について説明したが、本発明は係る例に限定されない。当業者であれば、特許請求の範囲に記入された技術的思想の範疇内において、各種の変更例または修正例に想到し得ることは明らかであり、それらについても当然に本発明の技術的範囲に属するものと了解される。
【００４８】
なお、実施形態として、金融機関で用いられるＯＣＲ為替集中処理システムに本発明が適用された場合を例として説明したが、本発明は、かかる場合に限定されるものではない。すなわち、本発明は、例えば、流通業などで伝票処理に用いられるＯＣＲ集中処理システムのように、ＯＣＲ装置を利用して集中処理を行うシステム全般にも適用可能である。また、本発明は、例えば、各種の届出帳票を対象とするＯＣＲエントリシステムや、印鑑登録システムなど、ＯＣＲ装置を利用して帳票を読取るシステムや、データをエントリするシステムにも全般的に適用可能である。
【００４９】
また、実施形態として、帳票フォーマットの作成に際して、記入項目毎の読取位置情報が手動により特定される場合を例として説明したが、本発明は、かかる場合に限定されるものではない。すなわち、本発明は、例えば、記入項目毎の読取位置情報が手動により特定される代わりに、光学読取手段の自動認識機能により特定され、データ化される場合にも同様に適用可能である。
【００５０】
例えば、複数の選択項目からなる第１の記入項目を読取るための帳票フォーマットを別途作成して登録しておき、始めに当該帳票フォーマットを利用して第１の記入項目を全ての選択項目について読取る。なお、例えば、図４に示す選択項目１２０、１３０および１４０のいずれに○印１７０が付されているかを認識し、○印１７０の位置に応じて、図５に示す帳票フォーマット３００、３１０および３２０のいずれかを自動的に選択する。
【００５１】
さらには、為替帳票１００上で振込先情報が記入可能な項目（本例の場合８つ）と他の情報が記入される項目の各々の読取位置情報を定義する標準フォーマットを、予め作成し、例えば、為替サーバ２２上のＤＢ３２に登録しておく場合も考えられる。標準フォーマットは、例えば、営業店１０もしくは集中センタ２０に設置された任意のクライアント、または集中処理システムに接続された任意のクライアント（不図示）により、作成され、本システム上でアクセス可能な状態で登録管理される。この場合には、為替帳票１００上に記入された選択可能な振込先の数（本例の場合３つ）を、例えば、ＯＣＲクライアント１４を介して、手動または自動認識により特定することで、必要な帳票フォーマットが適宜選択可能となる。
【００５２】
また、実施形態として、為替帳票１００のイメージが読取られる前に、操作者により帳票フォーマットが適宜選択される場合を例として説明したが、本発明は、かかる場合に限定されるものではない。すなわち、本発明は、例えば、操作者により選択される代わりに、為替帳票上に記入された印１７０がＯＣＲ装置１２により認識されて所望の帳票フォーマットが自動選択される場合にも同様に適用可能である。
【図面の簡単な説明】
【００５３】
【図１】ＯＣＲ為替集中処理システムの一例を概略的に示すブロック図である。
【図２】通常の振込依頼書（為替帳票）の一例を示す説明図である。
【図３】為替帳票の文字認識結果の一例を示す説明図である。
【図４】複数振込先選択方式の振込依頼書（為替帳票）の一例を示す説明図である。
【図５】図４に示す為替帳票から複数の帳票フォーマットを作成する処理の一部を示す説明図である。
【図６】複数の帳票フォーマットから所望の帳票フォーマットを選択する処理の一部を示す説明図である。
【符号の説明】
【００５４】
１０    営業店
１２    ＯＣＲ装置
１４    ＯＣＲクライアント
２０    集中センタ
２２    為替サーバ
２４    修正クライアント
２６    検証クライアント
２８    承認クライアント
３０    通信ゲートウェイ（ＧＷ）
３２    データベース（ＤＢ）
４０    ホスト
５０    回線網
１００、１００’    為替帳票
【図１】
2008077429.tif 000003
【図２】
2008077429.tif 000004
【図３】
2008077429.tif 000005
【図４】
2008077429.tif 000006
【図５】
2008077429.tif 000007
【図６】
2008077429.tif 000008